(57)【要約】【課題】ハウジングの内部に溜まった水を嵌合時に外へ排水することができる防水コネクタを提供する。【解決手段】防水コネクタ１０は、相手側ハウジング２１と、相手側ハウジング２１と嵌合するハウジング３１と、両ハウジング２１，３１間で弾性密着する防水栓４０と、を備え、相手側ハウジング２１のハウジング３１との嵌合面２２ａに、相手側ハウジング２１の外面２１ａまで貫通する水抜き孔２４を少なくとも１つ設けた。【選択図】図２
2019200873.tif 000002
【特許請求の範囲】
【請求項１】
相手側ハウジングと、
前記相手側ハウジングと嵌合するハウジングと、
前記ハウジングに取り付けられ、前記相手側ハウジングに弾性密着する防水栓と、を備え、
前記相手側ハウジングの前記ハウジングとの嵌合面に、該相手側ハウジングの外面まで貫通する水抜き孔を少なくとも１つ設け、
前記両ハウジングの嵌合時に前記防水栓の前面を前記相手側ハウジングの嵌合面に弾性密着させたことを特徴とする防水コネクタ。
【請求項２】
請求項１記載の防水コネクタであって、
前記ハウジング内に複数の端子を収容する端子収容部を設け、
前記端子収容部の前側に前記防水栓を装着したことを特徴とする防水コネクタ。
【請求項３】
請求項１または２記載の防水コネクタであって、
前記防水栓は、複数のリブを外周面に有したことを特徴とする防水コネクタ。
【請求項４】
請求項３記載の防水コネクタであって、
前記両ハウジングの嵌合時に前記複数のリブの少なくとも１つが前記水抜き孔を塞ぐことを特徴とする防水コネクタ。
【発明の詳細な説明】
【技術分野】
【０００１】
本発明は、防水コネクタに関する。
【背景技術】
【０００２】
この種の防水コネクタとして、例えば、特許文献１に開示されたものがある。
【０００３】
この特許文献１に開示された防水コネクタは、雌端子を収容する端子収容室を有し、相手側コネクタの雄ハウジングと嵌合する雌ハウジングと、この雌ハウジングの後方に取り付けられ、該雌ハウジングの端子収容室と対応した位置に端子挿入口が形成されたマットシールと、このマットシールが装着された雌ハウジングの更に後方側に取り付けられ、マットシールの端子挿入口と対応した位置に電線挿入口が形成されたリアグリッドと、雌端子が取り付けられた電線に装着され、マットシールの端子挿入口の内壁と弾性密着するワイヤチューブと、を備えている。
【０００４】
そして、雌ハウジングの前方には、相手側コネクタの雄ハウジングがパッキンを介して嵌合されるようになっている。
【先行技術文献】
【特許文献】
【０００５】
【特許文献１】特開２００９−２１１３６号公報
【発明の概要】
【発明が解決しようとする課題】
【０００６】
しかしながら、前記従来の防水コネクタでは、雌雄両ハウジングの嵌合の際に、雌雄両ハウジングの少なくともどちらか一方のハウジングに事前に水が浸入していた場合、雌雄両ハウジングの嵌合後に水が内部に溜まってしまう。
【０００７】
そこで、本発明は、前記した課題を解決すべくなされたものであり、ハウジングの内部に溜まった水を嵌合時に外へ排水することができる防水コネクタを提供することを目的とする。
【課題を解決するための手段】
【０００８】
本発明は、防水コネクタであって、相手側ハウジングと、前記相手側ハウジングと嵌合するハウジングと、前記ハウジングに取り付けられ、前記相手側ハウジングに弾性密着する防水栓と、を備え、前記相手側ハウジングの前記ハウジングとの嵌合面に、該相手側ハウジングの外面まで貫通する水抜き孔を少なくとも１つ設け、前記両ハウジングの嵌合時に前記防水栓の前面を前記相手側ハウジングの嵌合面に弾性密着させたことを特徴とする。
【発明の効果】
【０００９】
本発明によれば、相手側ハウジングのハウジングとの嵌合面に、該相手側ハウジングの外面まで貫通する水抜き孔を少なくとも１つ設けたことにより、各ハウジングの内部に溜まった水を両ハウジングの嵌合時に水抜き孔から外へ排水することができる。
【図面の簡単な説明】
【００１０】
【図１】本発明の一実施形態の防水コネクタの嵌合前の断面図である。
【図２】上記防水コネクタの嵌合時の断面図である。
【図３】上記防水コネクタの嵌合後の要部の拡大断面図である。
【発明を実施するための形態】
【００１１】
以下、本発明の一実施形態を図面に基づいて説明する。
【００１２】
図１は本発明の一実施形態の防水コネクタの嵌合前の断面図、図２は同防水コネクタの嵌合時の断面図、図３は防水コネクタの嵌合後の要部の拡大断面図である。
【００１３】
図１〜図３に示すように、防水コネクタ１０は、合成樹脂製の雄ハウジング（相手側ハウジング）２１を有する雄コネクタ２０と、この雄ハウジング２１に嵌合・離脱される合成樹脂製の雌ハウジング（ハウジング）３１を有する雌コネクタ３０と、この雌コネクタ３０の後述する端子収容部３４の前側に取り付けられ、雄ハウジング２１の後述する嵌合面２２ａに弾性密着するゴム製のパッキン（防水栓）４０と、を備えている。
【００１４】
雄ハウジング２１は、矩形ブロック状の本体部２２と、この本体部２２の内面２２ａの周囲より前方に延びる四角筒状の周壁部２３と、を有していて、前面側が開口している。矩形ブロック状の本体部２２の内面２２ａは雌ハウジング３１との嵌合面になっていると共に、該本体部２２には前後左右に複数段に並ぶように複数の雄端子（端子）２７が貫通して周壁部２３内に突出している。
【００１５】
また、矩形ブロック状の本体部２２の嵌合面（内面）２２ａの四隅の角部には、雄ハウジング２１の外周面（外面）２１ａまで斜めに傾斜するように貫通する水抜き孔２４を４箇所穿設してある。ここで、本体部２２の嵌合面２２ａとは、ゴム製のパッキン４０の前面４０ｂが弾性密着する面をいう。
【００１６】
雌ハウジング３１は、矩形ブロック状の本体部３２と、この本体部３２の内面３２ａの周囲より前方に延びて、雄ハウジング２１の周壁部２３が内側に嵌め込まれる四角筒状のフード部３３と、を有していて、前面側が開口している。
【００１７】
矩形ブロック状の本体部３２の内面３２ａの中央には、複数の雌端子（端子）３７を収容する複数の端子収容室３５を有した矩形ブロック状の端子収容部３４を一体突出形成してある。この端子収容部３４とフード部３３との間に雄ハウジング２１の周壁部２３が挿入されて嵌め込まれるようになっている。
【００１８】
また、矩形ブロック状の端子収容部３４の外周面３４ａの前側には、段差状に切り欠かれた段差部３４ｂを有している。この段差部３４ｂにパッキン４０が嵌め込まれている。
【００１９】
パッキン４０は四角環板状に形成されていて、その外周面４０ａに複数（この実施形態では３つ）のリップ部（リブ）４１を山状に一体突出形成してある。
【００２０】
そして、図２に示すように、雄雌両ハウジング２１，３１の嵌合時に、パッキン４０の前面４０ｂが雄ハウジング２１の嵌合面２２ａに弾性密着すると共に、パッキン４０の複数のリップ部４１のうちの最前列のリップ部４１が雄ハウジング２１の４箇所の水抜き孔２４をそれぞれ塞ぐようになっている。
【００２１】
尚、図２に示すように、雄端子２７には電線２８が電気的に接続されている。また、雌端子３７は電線３８が電気的に接続された状態でゴム栓３９を介して端子収容部３４の端子収容室３５内に収容されている。さらに、図３に示すように、端子収容部３４の前面３４ｃには、雄端子２７が挿入される貫通孔３４ｄを形成してある。また、雄雌両ハウジング２１，３１の嵌合時に、パッキン４０のリップ部４１が雄ハウジング２１の周壁部２３の内周面２３ａに弾性密着されるようになっている。
【００２２】
以上実施形態の防水コネクタ１０によれば、図２に示すように、雄ハウジング２１の雌ハウジング３１との嵌合面２２ａに、雄ハウジング２１の外周面２１ａまで延びる水抜き孔２４を４箇所設けたことにより、雄雌両ハウジング２１，３１の嵌合動作中に内部に溜まった水Ｗを水抜き孔２４から外へ押し出して排出することができる。
【００２３】
また、雄雌両ハウジング２１，３１の嵌合時にパッキン４０の前面４０ｂを雄ハウジング２１の嵌合面２２ａに弾性密着させたことにより、雄雌両ハウジング２１，３１の嵌合後に漏電（隣接する端子収容室３５，３５に収容された雌端子３７，３７間のリーク）の発生を防止することができる。
【００２４】
さらに、図２及び図３に示すように、雄雌両ハウジング２１，３１の嵌合時や嵌合後、雄ハウジング２１の水抜き孔２４をパッキン４０の最前列のリップ部４１で塞ぐことで、外部からの水Ｗの浸入を確実に防止することができる。
【００２５】
尚、前記実施形態によれば、雄ハウジングの矩形ブロック状の本体部の嵌合面の四隅の角部に、その外周面まで貫通する水抜き孔を４つ穿設したが、水が溜まり易い下側の左右の角部にそれぞれ穿設された水抜き孔の各間に少なくとも１つの水抜き孔を更に穿設するようにしても良い。
【符号の説明】
【００２６】
１０  防水コネクタ
２１  雄ハウジング（相手側ハウジング）
２１ａ  外周面（外面）
２２ａ  嵌合面（内面）
２４  水抜き孔
３１  雌ハウジング（ハウジング）
３４  端子収容部
３７  雌端子（端子）
４０  パッキン（防水栓）
４０ａ  外周面
４０ｂ  前面
４１  リップ部（リブ）
【図１】
2019200873.tif 000003
【図２】
2019200873.tif 000004
【図３】
2019200873.tif 000005